(57)【要約】      （修正有）【課題】  違法にコピーされた製品の利用を防止し、安全な利用を提供する。【解決手段】  決済カードやプリペイドカード、コンピューターや携帯通信端末に、読み取りと書き込み可能な記憶装置を搭載し、利用の都度もしくは、一定の利用期間か利用回数ごとに、記憶装置の情報を更新するとともに、センターではデータベースにより最新の情報を把握しておく。利用の際にセンターに送信されてくる情報と、センターで把握している、本来送信されてくるべき情報との照合を実施する。【選択図】  図１
2005301952.tif 000002
【特許請求の範囲】
【請求項１】
ネットワークを通じて複数回の決済を実施する形態の決済カードの運用において、決済カードに情報の読み取りと書き込みが可能な記憶装置を搭載し、決済カードを利用すると、決済用の通信端末により決済カードに搭載された記憶装置の情報を更新し、決済センターでは、決済カードを利用する時もしくは利用した後で決済用の通信端末から送信される、決済カードに記憶されている記憶装置の情報もしくは決済カードに記憶されている記憶装置の情報をもとに決済用の通信端末が変更を加えた情報と、決済センターが決済カードの過去の通信情報を蓄積することで推測される、決済用の通信端末から送られてくるべき情報とを照合することにより決済カードの真偽を判定することを特徴とする、決済カードの認証システム。
【請求項２】
ネットワークを通じて複数回の決済を実施する形態のプリペイドカードの運用において、プリペイドカードに情報の読み取りと書き込みが可能な記憶装置を搭載し、プリペイドカードを利用すると、通信端末によりプリペイドカードに搭載された記憶装置の情報を更新し、センターでは、プリペイドカードを利用する時もしくは利用した後で通信端末から送信される、プリペイドカードに記憶されている記憶装置の情報もしくはプリペイドカードに記憶されている記憶装置の情報をもとに通信端末が変更を加えた情報と、センターがプリペイドカードの過去の通信情報を蓄積することで推測される、通信端末から送られてくるべき情報とを照合することによりプリペイドカードの真偽を判定することを特徴とする、プリペイドカードの認証システム。
【請求項３】
通信ネットワークを通じてコンピューター端末がセンターに複数回ログインする形態のシステムにおいて、コンピューター端末の情報の読み取りと書き込みが可能な記憶領域を利用し、コンピューター端末がセンターにログインする都度、もしくは一定の利用期間や利用回数ごとに、コンピューター端末に搭載された記憶領域の情報を更新し、センターでは、コンピューター端末がログインされる際にコンピューター端末から送信される記憶領域の情報もしくは記憶領域の情報をもとにコンピューター端末が変更を加えた情報と、センターがコンピューター端末の過去の通信情報を蓄積することで推測される、コンピューター端末から送られてくるべき情報とを照合することによりコンピューター端末の真偽を判定することを特徴とする、通信ネットワークの認証システム。
【請求項４】
携帯通信端末の通信システムにおいて、携帯通信端末に情報の読み取りと書き込みが可能な記憶装置を搭載し、携帯通信端末が利用する都度、もしくは一定の利用期間や利用回数ごと、もしくは携帯通信端末が登録位置を更新する都度、携帯通信端末に搭載された記憶装置の情報を更新し、携帯通信端末のセンターでは、携帯通信端末が利用もしくは登録位置を更新する際に携帯通信端末から送信される記憶装置の情報もしくは記憶装置の情報をもとに携帯通信端末が変更を加えた情報と、携帯通信端末のセンターが携帯通信端末の過去の通信情報を蓄積することで推測される、携帯通信端末から送られてくるべき情報とを照合することにより携帯通信端末の真偽を判定することを特徴とする、携帯通信端末の認証システム。
【発明の詳細な説明】
【技術分野】
【０００１】  本発明は、決済カードや、プリペイドカードや、コンピューター端末や、携帯移動端末の不正利用を防止する分野に関する。
【背景技術】
【０００２】  近年、クレジットカードやキャッシュカードなどの決済カード、テレホンカードなどのプリペイドカードを不正にコピーして利用する犯罪が社会問題化している。また、コンピューターネットワークの不正アクセス（所謂なりすまし）被害も年々大きくなってきている。さらには他人の携帯電話の情報を不正にコピーした、いわゆるクローン携帯電話の不正利用の問題も心配されてきている。これらの不正コピーの利用を防止する方法に関しては、決済カードやプリペイドカード関してはＩＣチップを取り付ける方法、コンピューターネットワークでは特別なソフトウェアを搭載する方法、携帯電話等の携帯通信端末に関しては内部の回路を複雑にして複製を困難にするなどの方法があった。
【発明の開示】
【発明が解決しようとする課題】
【０００３】  ところで、ＩＣチップを利用したり、特別なソフトウェアを搭載したり、内部の回路をいくら複雑にしても、技術が進歩するにつれてコピー製品を作る技術も向上してきており、いかに精巧な技術を駆使しても、不正コピーの製造や、なりすましを完全に防止できるとはいえない。また、偽造テレホンカードの例にみられるように、一度コピーを作成する技術が開発されると、不正コピーが瞬時に広まり、不正コピー製品の利用を防止するにはそれまで普及したシステムの更改が必要となるなど、不正コピーの防止においてはコスト面でも問題があった。【０００４】  本発明は、前記した問題点を解決せんとするもので、その目的とするところは、決済カードや、プリペイドカードや、コンピューター端末、携帯通信端末に、読み取りと書き込み可能な記憶装置を搭載し、利用の都度もしくは、一定の利用期間か利用回数ごともしくは、登録位置を更新するごとに記憶装置の情報を更新し、利用する際に、センターに登録されてある情報と照合を実施することで、違法にコピーした製品の利用やなりすましを防止し、安全な利用を提供せしめんとすることにある。
【課題を解決するための手段】  前記目的を達成するために、本発明によるシステムは、次に記載するような特徴的な構成を採用している。【０００５】  （１）決済カードやプリペイドカードの運用システムにおいては、カードに、ＩＣチップのような、読み取りと書き込み可能な記憶装置を搭載する。またセンターでは、カードの過去の利用実績をデータベースに保存しておく。【０００６】  （２）カードを利用する場合、通信端末はカードの情報とともに、記憶装置の中の情報を読み取り、利用に必要な情報とあわせて、読み取った記憶装置の情報もしくは、読み取った記憶装置の情報に、通信端末が変更を加えた後の情報をセンターに送信する。【０００７】  （３）センターでは、通信端末から送信された情報と、センターがデータベースに保存してある、カードの過去の通信実績から推測される通信端末から本来送られて来るべき情報とを照合し、カードが偽造品かどうかの判定を行う。【０００８】（４）通信端末はカードが利用されると、カードに搭載されている記憶装置の情報を更新する。【０００９】  （５）記憶装置とセンターの情報の更新方法に関しては、通信端末側で更新情報を作成し、通信端末がセンターに情報を送信することで記憶装置の最新情報とセンターに蓄積する情報の整合性をはかる方式、センターから通信端末に送られてくる情報をもとにして通信端末が作成することで記憶装置の最新情報とセンターに蓄積する情報の整合性をはかる方式、前記２つの方式を併用する方式があるが、いずれの方式であってもセンターでは、過去の通信情報をデータベースに蓄積することで、通信端末から送信されてくるであろう情報の推測が可能である。【００１０】  （６）悪意のある第三者がカードを不正にコピーし、不正利用を行おうとした場合、カードの情報をコピーしてから不正なコピーカードを作成して不正利用するまでの間に、正統なカードが１回でも利用されて、センター側の情報が更新されていた場合、センターでは不正なコピーカードからの情報が本来あるべき情報と一致していないことを把握できる為、不正利用が判明する。このことにより、不正利用を防止できるだけでなく、不正コピーカードを作成しても不正が発覚する確率が高くなる為、不正コピーをしようとする意欲が低下し、犯罪の抑止効果となる。カードの情報をコピーしてから不正なコピーカードを作成して利用するまでの間に、正統なカードが１回も利用されていない場合は、不正なコピーカードが利用され、通信端末が通信することでセンター側の情報が更新されると、正統なカードの所有者がカードを利用し、通信端末が通信を行う際に不整合となり、第三者による不正コピーが発覚し、それ以降の不正利用を防ぐことが可能となる。【００１１】  （７）コンピューター端末の認証システムにおいては、端末の記憶装置部分に、利用の都度、もしくは一定の利用期間か利用回数ごとに、情報を更新する領域を用意する。また、携帯通信端末においては、利用の都度、もしくは一定の利用期間か利用回数ごと、もしくは登録位置を更新するごとに、情報を更新する領域を用意する。【０００１２】  （８）端末を利用する場合や、登録位置を更新する場合は記憶装置部分の情報を読み取り、接続や位置登録に必��な情報とあわせて、読み取った記憶装置部分の情報、もしくは読み取った記憶装置部分の情報に、端末が変更を加えた後の情報をセンターに送信する。【００１３】  （９）センターでは、端末から送信された情報と、センターがデータベースに保存してある、端末の過去の通信実績から推測される端末から本来送られて来るべき情報とを照合し、端末が偽造品かどうかの判定を行う。【００１４】  （１０）コンピュータ端末では通信が実施されるとその都度、もしくは一定の利用期間か利用回数ごとに、記憶装置の部分の情報を更新し、センターでは蓄積情報を更新する。携帯通信端末では通信が実施されるとその都度、もしくは一定の利用期間か利用回数ごとに、もしくは登録位置を更新するごとに記憶装置の部分の情報を更新し、センターでは蓄積情報を更新する。【００１５】  （１１）記憶装置とセンターの情報を更新する方式に関しては、端末側で更新情報を作成し作成した情報をセンターに送信することで記憶装置の最新情報とセンターに蓄積する情報の整合性をはかる方式、センターから端末に送る情報をもとに端末が作成することで記憶装置の最新情報とセンターに蓄積する情報の整合性をはかる方式、前記２つを併用する方式があるが、いずれの方式であってもセンターでは端末が利用する際に送信してくるであろう情報を、過去の通信情報をデータベースに蓄積することにより推測が可能である。【００１６】（１２）悪意のある第三者が端末を不正にコピーし、不正利用を行おうとした場合、端末の情報をコピーしてから不正な端末を作成して利用するまでの間に、正統な端末とセンターの情報が更新されていた場合、センターでは不正な端末からの情報が本来あるべき情報と一致していないことを把握できる為、不正利用が判明する。このことにより、不正利用が防止できるだけでなく、悪意のある第三者が不正な端末を利用しても不正が発覚する確率が高くなる為、不正をしようとする意欲が低下し、犯罪の抑止効果となる。
端末の情報をコピーしてから不正なコピー端末を作成して利用するまでの間に、正統な端末とセンターの情報が１回も更新されていない場合には、不正なコピー端末の利用によりセンターの情報が更新されると、正統な端末の所有者が端末を利用する際に不整合となり、第三者による不正コピーが発覚し、それ以降の不正利用を防ぐことが可能となる。
【発明を実施するための最良の形態】
【００１７】  図１は本発明の請求項１及び２の形態におけるシステムの概略図を示している。１はカード、２はカード１に搭載してある読み取りと書き込みが可能な記憶装置、３は通信端末、４はカードのセンターである。以下、本発明に係るシステムの実施の形態を図と共に説明する。【００１８】  カード１を利用する際に、通信端末３にてカード１に搭載してある、読み取りと書き込みが可能な記憶装置２に記憶されている最新の情報を読み取る。（ステップＳ１）【００１９】  通信端末３は、カード１の情報や利用に必要な必要な情報とともに、ステップＳ１で読み取った情報もしくはステップＳ１で読み取った情報に通信端末３が変更を加えた後の情報を、通信ネットワークを通じてセンター４に送信する。（ステップＳ２）【００２０】  センター４は、ステップＳ２で送信された情報と、センターがカード１の過去の通信情報を蓄積することで把握している、本来送信されてくるべき情報とを照合する。（ステップＳ３）【００２１】  センター４は、ステップＳ３で照合した結果が一致していた場合には、決済を実施カード１の利用を許可する。（ステップＳ４）また、一致していない場合には、カード１の利用を許可しない。（ステップＳ５）【００２２】  ステップＳ４により、カード１の利用が許可された場合、通信端末３はカード１に搭載してある読み取りと書き込みが可能な記憶装置２の最新情報を更新し（ステップＳ６）、またセンター４の蓄積情報も更新される。（ステップＳ７）
なお、ステップＳ６で書き込む最新情報は、ステップＳ１で読み取った情報に通信端末３が変更を加えて書き込む方式、通信時に、ネットワークを通じてセンター４から送信された新たな情報もしくは、ネットワークを通じてセンター４から送信された新たな情報に通信端末が変更を加えた情報を書き込む方式、前記２つの両方を併用する方式があるが、いずれもカード１を利用する度に読み取りと書き込みが可能な記憶装置２の情報とセンター４の情報は更新される。このことにより、常に最新情報を所有したカードしか利用が出来ず、不正なコピーカードの利用が困難となる。
なお、クレジットカードやプリペイドカードにおいては、リアルタイムで通信を行わない利用形態が存在するが、その場合にはステップＳ６で書き込む最新情報は通信端末３で作成した情報となり、通信時にセンター４の情報は更新される。また、またセンターの運用形態によっては、通信時に照合を実施せず、通信後に照合を行う場合があるが、いずれにしろ不正利用の把握により、それ以降の不正利用を防止できる。【００２３】  図２は本発明の請求項３及び４の形態における通信システムの概略図を示している。２１は端末、２２は端末２１に搭載してある利用の都度、もしくは一定の期間か利用回数ごと、もしくは登録位置を更新するごとに情報を更新する領域、２３はセンターである。以下、本発明に係る通信システムの実施の形態を図と共に説明する。【００２４】  端末２１を利用する際もしくは登録位置を更新する際に、端末２１にて端末２１に搭載してある情報を更新する領域２２の最新情報を読み取る。（ステップＳ２１）【００２５】  端末２１は、通信や位置登録に利用に必要な情報とともに、ステップＳ２１で読み取った情報もしくはステップＳ２１で読み取った情報に端末２１が変更を加えた後の情報を、通信ネットワークを通じてセンター２３に送信する。（ステップＳ２２）【００２６】  センター２３は、ステップＳ２２で送信された情報と、センター２３が、端末２１の過去の通信情報を蓄積することで把握している、本来送信されてくるべき情報とを照合する。（ステップＳ２３）【００２７】  センター２３は、ステップＳ２３で照合した結果が一致していた場合には、端末２１の利用や位置登録を許可する。（ステップＳ２４）また、一致していない場合には、端末２１の利用や位置登録を許可しない。（ステップＳ２５）【００２８】    ステップＳ２４により、端末２１の利用もしくは位置登録が許可された場合、端末２１は端末２１に搭載してある情報を更新する領域２２の情報を更新する。（ステップＳ２６）なお、ステップＳ２６で書き込む最新情報は、ステップＳ２１で読み取った情報に端末２１が変更を加えて書き込む方式、通信時に、ネットワークを通じてセンター２３から送信された新たな情報もしくは、ネットワークを通じてセンター２３から送信された新たな情報に端末２１が変更を加えた情報を書き込む方式、前記２つの両方を併用する方式があるが、いずれも利用する度に端末２１に搭載してある情報を更新する領域２２とセンター２３の情報は更新される。このことにより、常に最新情報を所有した端末しか利用が出来ず、不正なコピー端末の利用が困難となる。
なお、一定の期間か利用回数ごとに情報を更新する形態においては、不正利用は通信後に発覚する場合がある。またセンターの運用形態によっては、通信時に照合を実施せず、通信後に照合を行う場合があるが、いずれにしろ不正利用の把握により、それ以降の不正利用を防止できる。
【図面の簡単な説明】
【００２９】
【図１】本発明の請求項１及び２におけるシステムの概略図と処理の流れを説明する図である
【図２】本発明の請求項２及び３におけるシステムの概略図と処理の流れを説明する図である。
【符号の説明】
【００３０】１          カード
２          カード１に搭載してある読み取りと書き込み可能な記憶装置
３          通信端末
４          カードのセンター
２１        端末
２２        情報を更新する領域
２３        センター
【図１】
2005301952.tif 000003
【図２】
2005301952.tif 000004